【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
通信のための運用ポートおよび待機ポートを有し、前記運用ポートに障害が発生した場合に前記待機ポートを運用ポートに切り替えて通信を継続するコールサーバであって、
ＰＣＩバスのバスマスタ制御により前記運用ポートと前記待機ポートを切り替えるとともに、パケットを対向機に送信し、前記対向機のルーティングテーブルを変更させてポート切替えを実行させるポート切替手段を備えたことを特徴とするコールサーバ。
【請求項２】
前記ポート切替手段は、バスマスタ割当て制御を行なう通信処理手段と、固有アドレスを記憶する記憶手段と、前記ＰＣＩバス上のバスマスタとなるバスマスタ制御手段、パケットを送信するパケット送信手段、パケットを受信するパケット受信手段、通信網と接続するコネクタを有する運用ポートならびに前記待機ポートと、を備えたことを特徴とする請求項１記載のコールサーバ。
【請求項３】
前記待機ポートは、複数の前記運用ポートのそれぞれに対して専用または共通のポートを一つ以上備えたことを特徴とする請求項２記載のコールサーバ。
【請求項４】
通信のための運用ポートおよび待機ポートを有し、前記運用ポートに障害が発生した場合に前記待機ポートを運用ポートに切り替えて通信を継続するコールサーバのポート切替え方法であって、
運用ポートの異常を検出し、待機ポートを運用ポートに切り替え、パケットを対向機に送信して対向機のルーティングテーブルを変更させ、対向機のポートを切り替えさせてパケット通信を継続することを特徴とするコールサーバのポート切替え方法。
【手続補正２】
【補正対象書類名】明細書
【補正対象項目名】０００１
【補正方法】変更
【補正の内容】
【０００１】
【発明の属する技術分野】
本発明はイーサネット（注：米国ＸＥＲＯＸ社の登録商標）を介して対向機と通信を行なう運用ポートと待機ポートの２重化ポート構造を備えたコールサーバに係り、特に、ＰＣＩ（Peripheral Components Interconnect）バスマスタを用いて待機ポートを運用ポートに切り替えるとともに、パケットを送信して対向機のポートを切り替えさせてパケット通信を継続するコールサーバに関する。
【手続補正３】
【補正対象書類名】明細書
【補正対象項目名】０００８
【補正方法】変更
【補正の内容】
【０００８】
【課題を解決するための手段】
前記課題を解決するためこの発明に係るコールサーバは、通信のための運用ポートおよび待機ポートを有し、運用ポートに障害が発生した場合に前記待機ポートを運用ポートに切り替えて通信を継続するコールサーバであって、ＰＣＩバスのバスマスタ制御により前記運用ポートと前記待機ポートを切り替えるとともに、パケットを対向機に送信し、前記対向機のルーティングテーブルを変更させてポート切替えを実行させるポート切替手段を備えたことを特徴とする。
【手続補正４】
【補正対象書類名】明細書
【補正対象項目名】０００９
【補正方法】変更
【補正の内容】
【０００９】
これにより、リンクが確立されている待機ポートを運用ポートに設定し、ハブ、ルータまたは通信装置等の対向機のみ固有アドレス（例えば、ＭＡＣアドレス）を更新するだけでパケットの送受信可能となり、単純な構成で、待機ポートから運用ポートへの切替えが迅速で、通信のパケットロスを大幅に改善することができる。
【手続補正５】
【補正対象書類名】明細書
【補正対象項目名】００１０
【補正方法】変更
【補正の内容】
【００１０】
また、この発明に係るポート切替手段は、バスマスタ割当て制御を行なう通信処理手段と、固有アドレスを記憶する記憶手段と、ＰＣＩバス上のバスマスタとなるバスマスタ制御手段、パケットを送信するパケット送信手段、パケットを受信するパケット受信手段、通信網と接続するコネクタを有する運用ポートならびに待機ポートとを備えたことを特徴とする。
【手続補正６】
【補正対象書類名】明細書
【補正対象項目名】００１１
【補正方法】変更
【補正の内容】
【００１１】
これにより、運用ポートに障害（異常）が発生した場合には、運用ポートのバスマスタ制御手段をキャンセルし、待機ポートのバスマスタ制御手段を動作させることによって待機ポートから運用ポートに切替え、ＡＲＰ（Address Resolution Protocol）プロトコルのパケットを対向機に送信し、対向機のルーティングテーブル（ＭＡＣアドレステーブル）を変更させて対向機のポート切替えも実行することができ、迅速にポートを切り替えることにより、切り替えたポート間でパケットロスの少ない通信を実現することができる。
【手続補正７】
【補正対象書類名】明細書
【補正対象項目名】００１２
【補正方法】変更
【補正の内容】
【００１２】
さらに、この発明に係る待機ポートは、複数の運用ポートのそれぞれに対して専用または共通のポートを一つ以上備えたことを特徴とする。
【手続補正８】
【補正対象書類名】明細書
【補正対象項目名】００１３
【補正方法】変更
【補正の内容】
【００１３】
これにより、運用ポートのあらゆる障害に対して待機ポートでバックアップすることができ、通信の信頼性を向上させることができる。
【手続補正９】
【補正対象書類名】明細書
【補正対象項目名】００１４
【補正方法】変更
【補正の内容】
【００１４】
また、この発明に係るコールサーバのポート切替え方法は、通信のための運用ポートおよび待機ポートを有し、運用ポートに障害が発生した場合に待機ポートを運用ポートに切り替えて通信を継続するポート切替え方法であって、運用ポートの異常を検出し、待機ポートを運用ポートに切り替え、パケットを対向機に送信して対向機のルーティングテーブルを変更させ、対向機のポートを切り替えさせてパケット通信を継続することを特徴とする。
【手続補正１０】
【補正対象書類名】明細書
【補正対象項目名】００１５
【補正方法】変更
【補正の内容】
【００１５】
これにより、待機ポートをバスマスタにして運用ポートに切替え、ＡＲＰ（Address Resolution Protocol）プロトコルのパケットで対向機のポートを変更させることができ、待機ポートから運用ポートへの切替えが迅速で、通信のパケットロスを大幅に改善することができる。
【手続補正１１】
【補正対象書類名】明細書
【補正対象項目名】００６５
【補正方法】変更
【補正の内容】
【００６５】
【発明の効果】
以上説明したように、この発明に係るコールサーバは、ＰＣＩバスのバスマスタ制御により前記運用ポートと前記待機ポートを切り替えるとともに、パケットを対向機に送信し、前記対向機のルーティングテーブルを変更させてポート切替えを実行させるポート切替手段を備えたので、リンクが確立されている待機ポートを運用ポートに設定し、ハブ、ルータまたは通信装置等の対向機のみ固有アドレス（例えば、ＭＡＣアドレス）を更新するだけでパケットの送受信可能となり、単純な構成で、待機ポートから運用ポートへの切替えが迅速で、通信のパケットロスを大幅に改善することができる。
【手続補正１２】
【補正対象書類名】明細書
【補正対象項目名】００６６
【補正方法】変更
【補正の内容】
【００６６】
また、この発明に係るポート切替手段は、バスマスタ制御を行なう通信処理手段と、固有アドレスを記憶する記憶手段と、ＰＣＩバス上のバスマスタとなるバスマスタ制御手段、パケットを送信するパケット送信手段、パケットを受信するパケット受信手段、通信網と接続するコネクタを有する運用ポートならびに待機ポートとを備えたので、運用ポートに異常が発生した場合には、運用ポートのバスマスタ制御手段をキャンセルし、待機ポートのバスマスタ制御手段を動作させることによって待機ポートから運用ポートに切替え、ＡＲＰ（Address Resolution Protocol）プロトコルのパケットを対向機に送信し、対向機のルーティングテーブル（ＭＡＣアドレステーブル）を変更させて対向機のポート切替えも実行することができ、迅速にポートを切り替えることにより、切り替えたポート間でパケットロスの少ない通信を実現することができる。
【手続補正１３】
【補正対象書類名】明細書
【補正対象項目名】００６７
【補正方法】変更
【補正の内容】
【００６７】
さらに、この発明に係る待機ポートは、複数の運用ポートのそれぞれに対して専用または共通のポートを一つ以上備えたので、運用ポートのあらゆる障害に対して待機ポートでバックアップすることができ、通信の信頼性を向上させることができる。
【手続補正１４】
【補正対象書類名】明細書
【補正対象項目名】００６８
【補正方法】変更
【補正の内容】
【００６８】
また、この発明に係るコールサーバのポート切替え方法は、通信のための運用ポートおよび待機ポートを有し、運用ポートに障害が発生した場合に待機ポートを運用ポートに切り替えて通信を継続するポート切替え方法であって、運用ポートの異常を検出し、待機ポートを運用ポートに切り替え、パケットを対向機に送信して対向機のルーティングテーブルを変更させ、対向機のポートを切り替えさせてパケット通信を継続するので、待機ポートをバスマスタにして運用ポートに切替え、ＡＲＰ（Address Resolution Protocol）プロトコルのパケットで対向機のポートを変更させることができ、待機ポートから運用ポートへの切替えが迅速で、通信のパケットロスを大幅に改善することができる。